【手続補正書】
【提出日】平成12年3月10日(2000.3.10)
【手続補正１】
【補正対象書類名】明細書
【補正対象項目名】特許請求の範囲
【補正方法】変更
【補正の内容】
【特許請求の範囲】
【請求項１】
液体貯蔵器とこの液体貯蔵器から延出されたフレキシブルホースとを具備した個人用水分補給システムのためのマウスピースであって、
前記ホースの端部に取り付けられるネックと；このネックに対して取り付けられるとともに、使用者の口中に受領され得るように構成されているとともに、周縁部を有し、かつ、この周縁部上の反対側ポイントどうしの間において最小寸法となるものとされたヘッドと；を備え、
前記ヘッドは、さらに、前記周縁部から前記ネックに向けて延在しかつ唇受領肩部において終端する噛み領域を有し、
前記唇受領肩部は、前記噛み領域から前記ネックにまで延在し、
前記周縁部から前記唇受領肩部までの長さとして測ったときの前記噛み領域の長さは、前記最小寸法よりも短いものとされていることを特徴とするマウスピース。
【請求項２】
請求項１記載のマウスピースにおいて、
前記供給面が、常態において閉塞されているスリットを中間部分に形成するような一対の対向したリップを有し、
これらリップの方向に沿って前記噛み領域を押圧することにより、前記両リップが互いに当接していてこれにより前記スリットが閉塞されており前記スリットを通しての液体流通が阻止されている閉塞状態から、前記両リップが少なくとも部分的に互いに離間していてこれにより前記スリットを通しての液体流通が可能とされている供給状態へと、前記マウスピースが変形するようになっていることを特徴とするマウスピース。
【請求項３】
請求項２記載のマウスピースにおいて、
前記供給面と前記噛み領域とは、協働して供給チャンバを形成しており、
前記両リップは、前記供給面から前記供給チャンバ内に向けて延在していることを特徴とするマウスピース。
【請求項４】
請求項２または３記載のマウスピースにおいて、
前記供給面は、前記両リップを前記閉塞状態に向けて付勢するための、前記供給面に沿って前記リップから延出された一対の弾性リブを有していることを特徴とするマウスピース。
【請求項５】
請求項４記載のマウスピースにおいて、
前記供給面は、内面と、この内面に沿って前記リップから延出されたリブと、を有していることを特徴とするマウスピース。
【請求項６】
請求項４または５記載のマウスピースにおいて、
前記各リブは、各リップに関し、第１位置から前記供給面に沿って径方向に延出されているとともに、リップから離れたところへと延出され、前記第１位置から離間した第２位置においてリップへと戻ってくることを特徴とするマウスピース。
【請求項７】
請求項６記載のマウスピースにおいて、
前記各リブは、対応リップの近傍に位置した端部領域と、該端部領域どうしの間に位置し前記端部領域の横断面積よりも小さな横断面積とされた中間領域と、を有していることを特徴とするマウスピース。
【請求項８】
請求項１〜７のいずれかに記載のマウスピースにおいて、
前記噛み領域は、液体流通方向に測ったときに、１７．７８ｍｍよりも短い長さとされていることを特徴とするマウスピース。
【請求項９】
請求項１〜７のいずれかに記載のマウスピースにおいて、
前記噛み領域は、液体流通方向に測ったときに、約１０．１６ｍｍ〜約１５．２４ｍｍという範囲の長さとされていることを特徴とするマウスピース。
【請求項１０】
請求項１〜９のいずれかに記載のマウスピースにおいて、
前記噛み領域は、液体流通方向に測ったときに、前記最小寸法の長さの８０％よりも短い長さとされていることを特徴とするマウスピース。
【請求項１１】
請求項１〜１０のいずれかに記載のマウスピースにおいて、
前記供給面は、凸状内面を有していることを特徴とするマウスピース。
【請求項１２】
請求項１〜１１のいずれかに記載のマウスピースにおいて、
前記スリットの前方側における前記供給面の厚さが、前記スリットの後方側における前記供給面の厚さよりも薄いものとされていることを特徴とするマウスピース。
【請求項１３】
請求項２〜１２のいずれかに記載のマウスピースにおいて、
前記供給状態においては、前記スリットは、前記マウスピースが使用者の口中に配置されて前記供給状態へと移行され使用者による液体の吸込が行われたときに、３０ｍｌ／ｓｅｃよりも大きな流速でもって前記マウスピースから液体を供給し得るような面積とされることを特徴とするマウスピース。
【請求項１４】
請求項２〜１２のいずれかに記載のマウスピースにおいて、
前記供給状態においては、前記スリットは、前記マウスピースが使用者の口中に配置されて前記供給状態へと移行され使用者による液体の吸込が行われたときに、４０ｍｌ／ｓｅｃよりも大きな流速でもって前記マウスピースから液体を供給し得るような面積とされることを特徴とするマウスピース。
【請求項１５】
請求項２〜１２のいずれかに記載のマウスピースにおいて、
前記供給状態においては、前記スリットは、前記マウスピースが使用者の口中に配置されて前記供給状態へと移行され使用者による液体の吸込が行われたときに、約３５ｍｌ／ｓｅｃ〜約４５ｍｌ／ｓｅｃという範囲の流速でもって前記マウスピースから液体を供給し得るような面積とされることを特徴とするマウスピース。
【請求項１６】
請求項２〜１５のいずれかに記載のマウスピースにおいて、
前記ネックは、内径を形成する内壁を備え、
前記スリットは、前記ネックの前記内径の１５０％より長い長さとされていることを特徴とするマウスピース。
【請求項１７】
請求項２〜１６のいずれかに記載のマウスピースにおいて、
前記噛み領域が、前記供給面を通しての液体供給に先立って液体を受領するための供給チャンバを形成する内面を有し、
この内面が、複数の不連続部分を有していることを特徴とするマウスピース。
【請求項１８】
請求項１７記載のマウスピースにおいて、
前記不連続部分は、複数のコーナーを有し、
各コーナーは、頂点を有していることを特徴とするマウスピース。
【請求項１９】
請求項１８記載のマウスピースにおいて、
前記コーナーは、前記供給面に対して直交する方向において、前記内面の少なくとも一部に沿って延在していることを特徴とするマウスピース。
【請求項２０】
請求項１８または１９記載のマウスピースにおいて、
前記各コーナーは、さらに、前記頂点近傍に全体的に平面状の領域を有していることを特徴とするマウスピース。
【請求項２１】
請求項１８〜２０のいずれかに記載のマウスピースにおいて、
前記ボディ領域の厚さが、前記各頂点のところにおいて最も薄いものとされていることを特徴とするマウスピース。
【請求項２２】
請求項１７記載のマウスピースにおいて、
前記不連続部分が、前記供給面に対して全体的に直交して延在する複数の全体的に平面状の領域を有していることを特徴とするマウスピース。
【請求項２３】
請求項２２記載のマウスピースにおいて、
前記複数の平面状領域は、前記供給面に対して直交して延在する頂点のところにおいて互いに連接されていることを特徴とするマウスピース。
【請求項２４】
請求項２３記載のマウスピースにおいて、
前記頂点は、前記マウスピースが供給位置に向けて変形されたときには、前記複数の平面状領域を回転させる軸を形成し得るようにして構成されていることを特徴とするマウスピース。
【請求項２５】
請求項１〜２４のいずれかに記載のマウスピースにおいて、
液体供給源を保持し得るよう構成されているとともに、液体を流通させることができる出口ポートを有した貯蔵器と、第１端部が前記出口ポートに対して連結されているとともに第２端部に前記マウスピースが取り付けられているフレキシブルホースと、を具備してなる個人用水分補給システムと組み合わせて使用され、
使用者の口中に配置されたときには、使用者の口内へと液体を供給し得るよう、使用者が、前記貯蔵器から前記ホースを介して前記マウスピースへと、液体を吸い込み得るようになっていることを特徴とするマウスピース。
【請求項２６】
液体貯蔵器とこの液体貯蔵器から延出されたフレキシブルホースとを具備した個人用水分補給システムのためのマウスピースであって、
前記ホースの端部に取り付けられ得るよう構成されたネックと；このネックに対して取り付けられるとともに、使用者の口中に受領され得るように構成されたヘッドと；を備え、
前記ヘッドは、周縁部を有した供給面を備え、
前記ヘッドは、さらに、前記周縁部から前記ネックに向けて延在しかつ唇受領肩部において終端する噛み領域を備え、
前記供給面は、常態において閉塞されているスリットを中間部分に形成するような一対の対向したリップを有し、
前記リップの方向に沿って前記噛み領域に押圧力を印加することにより、前記両リップが互いに当接していてこれにより前記スリットが閉塞されており前記スリットを通しての液体流通が阻止されている閉塞状態から、前記両リップが少なくとも部分的に互いに離間していてこれにより前記スリットを通しての液体流通が可能とされている供給状態へと、前記マウスピースが変形するようになっており、
前記供給面は、さらに、前記両リップを前記閉塞状態に向けて付勢するための、前記供給面に沿って前記リップから延出された一対の弾性リブを有していることを特徴とするマウスピース。
【請求項２７】
請求項２６記載のマウスピースにおいて、
前記供給面と前記噛み領域とは、協働して供給チャンバを形成しており、
前記両リップは、前記供給面から前記供給チャンバ内に向けて延在していることを特徴とするマウスピース。
【請求項２８】
請求項２７記載のマウスピースにおいて、
前記供給面は、内面と、この内面に沿って前記リップから延出されたリブと、を有していることを特徴とするマウスピース。
【請求項２９】
請求項２６〜２８のいずれかに記載のマウスピースにおいて、
前記各リブは、各リップに関し、第１位置から前記供給面に沿って径方向に延出されているとともに、リップから離れたところへと延出され、前記第１位置から離間した第２位置においてリップへと戻ってくることを特徴とするマウスピース。
【請求項３０】
請求項２６〜２９のいずれかに記載のマウスピースにおいて、
前記各リブは、対応リップの近傍に位置した端部領域と、該端部領域どうしの間に位置し前記端部領域の横断面積よりも小さな横断面積とされた中間領域と、を有していることを特徴とするマウスピース。
【請求項３１】
請求項２６〜３０のいずれかに記載のマウスピースにおいて、
液体供給源を保持し得るよう構成されているとともに、液体を流通させることができる出口ポートを有した貯蔵器と、第１端部が前記出口ポートに対して連結されているとともに第２端部に前記マウスピースが取り付けられているフレキシブルホースと、を具備してなる個人用水分補給システムと組み合わせて使用され、
使用者の口中に配置されたときには、使用者の口内へと液体を供給し得るよう、使用者が、前記貯蔵器から前記ホースを介して前記マウスピースへと、液体を吸い込み得るようになっていることを特徴とするマウスピース。
【請求項３２】
液体貯蔵器とこの液体貯蔵器から延出されたフレキシブルホースとを具備した個人用水分補給システムのためのマウスピースであって、
前記貯蔵器から供給される液体を受領し得るよう構成されているとともに、液体流通方向に対して直交方向に測ったときに内径と横断面積とを形成するような内壁を有したネックと；このネックに対して流体連通可能とされた弾性ヘッドと；を備え、
前記弾性ヘッドは、常態において閉塞されているスリットを中間部分に形成するような一対の対向したリップを有した供給面を備え、
前記両リップにより、前記両リップが互いに当接していてこれにより前記スリットが閉塞されており前記スリットを通しての液体流通が阻止されている閉塞状態から、前記両リップが少なくとも部分的に互いに離間していてこれにより前記スリットを通しての液体流通が可能とされている供給状態へと、前記両リップが付勢されたときには、液体を選択的に供給するようなシール可能開口が形成され、
前記スリットは、前記ネックの前記内径の１５０％より長い長さとされていることを特徴とするマウスピース。
【請求項３３】
請求項３２記載のマウスピースにおいて、
前記供給状態においては、前記スリットは、前記マウスピースが使用者の口中に配置されて前記供給状態へと移行され使用者による液体の吸込が行われたときに、３０ｍｌ／ｓｅｃよりも大きな流速でもって前記マウスピースから液体を供給し得るような面積とされることを特徴とするマウスピース。
【請求項３４】
請求項３２記載のマウスピースにおいて、
前記供給状態においては、前記スリットは、前記マウスピースが使用者の口中に配置されて前記供給状態へと移行され使用者による液体の吸込が行われたときに、４０ｍｌ／ｓｅｃよりも大きな流速でもって前記マウスピースから液体を供給し得るような面積とされることを特徴とするマウスピース。
【請求項３５】
請求項３２〜３４のいずれかに記載のマウスピースにおいて、
液体供給源を保持し得るよう構成されているとともに、液体を流通させることができる出口ポートを有した貯蔵器と、第１端部が前記出口ポートに対して連結されているとともに第２端部に前記マウスピースが取り付けられているフレキシブルホースと、を具備してなる個人用水分補給システムと組み合わせて使用され、
使用者の口中に配置されたときには、使用者の口内へと液体を供給し得るよう、使用者が、前記貯蔵器から前記ホースを介して前記マウスピースへと、液体を吸い込み得るようになっていることを特徴とするマウスピース。
【請求項３６】
液体貯蔵器とこの液体貯蔵器から延出されたフレキシブルホースとを具備した個人用水分補給システムのためのマウスピースであって、
前記ホースの端部に取り付けられ得るよう構成されたネックと；このネックに対して流体連通可能とされた弾性ヘッドと；を備え、
前記弾性ヘッドは、内面と、常態において閉塞されているスリットを中間部分に形成するような一対の対向したリップと、を有した供給面を備え、
前記両リップにより、前記両リップが互いに当接していてこれにより前記スリットが閉塞されており前記スリットを通しての液体流通が阻止されている閉塞状態から、前記両リップが少なくとも部分的に互いに離間していてこれにより前記スリットを通しての液体流通が可能とされている供給状態へと、前記両リップが付勢されたときには、液体を選択的に供給するようなシール可能開口が形成され、
前記供給面の内面は、前記スリットの前方側における前記供給面の厚さが前記スリットの後方側における前記供給面の厚さよりも薄いものとされているような、凸状形状とされていることを特徴とするマウスピース。
【請求項３７】
請求項３６記載のマウスピースにおいて、
液体供給源を保持し得るよう構成されているとともに、液体を流通させることができる出口ポートを有した貯蔵器と、第１端部が前記出口ポートに対して連結されているとともに第２端部に前記マウスピースが取り付けられているフレキシブルホースと、を具備してなる個人用水分補給システムと組み合わせて使用され、
使用者の口中に配置されたときには、使用者の口内へと液体を供給し得るよう、使用者が、前記貯蔵器から前記ホースを介して前記マウスピースへと、液体を吸い込み得るようになっていることを特徴とするマウスピース。
【請求項３８】
液体貯蔵器とこの液体貯蔵器から延出されたフレキシブルホースとを具備した個人用水分補給システムのためのマウスピースであって、
前記ホースの端部に取り付けられ得るよう構成されたネックと；このネックに対して流体連通可能とされたヘッドと；を備え、
前記ヘッドは、使用者の口中に受領され得るよう構成され、
前記ヘッドは、周縁部を有しかつこの周縁部上の反対側ポイントどうしの間において最小寸法となるものとされた供給面を有し、
前記ヘッドは、さらに、前記周縁部から前記ネックに向けて延在しかつ唇受領肩部において終端する噛み領域を備え、
前記唇受領肩部は、前記噛み領域から前記ネックにまで延在し、
前記噛み領域が、前記供給面を通しての液体供給に先立って液体を受領するための供給チャンバを形成する内面を有し、
この内面が、複数の不連続部分を有していることを特徴とするマウスピース。
【請求項３９】
請求項３８記載のマウスピースにおいて、
前記不連続部分は、複数のコーナーを有し、
各コーナーは、頂点を有していることを特徴とするマウスピース。
【請求項４０】
請求項３９記載のマウスピースにおいて、
前記コーナーは、前記供給面に対して直交する方向において、前記内面に沿って延在していることを特徴とするマウスピース。
【請求項４１】
請求項３９または４０記載のマウスピースにおいて、
前記各コーナーは、さらに、前記頂点近傍に全体的に平面状の領域を有していることを特徴とするマウスピース。
【請求項４２】
請求項３９〜４１のいずれかに記載のマウスピースにおいて、
前記ボディ領域の厚さが、前記各頂点のところにおいて最も薄いものとされていることを特徴とするマウスピース。
【請求項４３】
請求項３８記載のマウスピースにおいて、
前記不連続部分が、前記供給面に対して全体的に直交して延在する複数の全体的に平面状の領域を有していることを特徴とするマウスピース。
【請求項４４】
請求項４３記載のマウスピースにおいて、
前記複数の平面状領域は、前記供給面に対して直交して延在する頂点のところにおいて互いに連接されていることを特徴とするマウスピース。
【請求項４５】
請求項４４記載のマウスピースにおいて、
前記頂点は、前記マウスピースが供給位置に向けて変形されたときには、前記複数の平面状領域を回転させる軸を形成し得るようにして構成されていることを特徴とするマウスピース。
【請求項４６】
請求項３８〜４５のいずれかに記載のマウスピースにおいて、
液体供給源を保持し得るよう構成されているとともに、液体を流通させることができる出口ポートを有した貯蔵器と、第１端部が前記出口ポートに対して連結されているとともに第２端部に前記マウスピースが取り付けられているフレキシブルホースと、を具備してなる個人用水分補給システムと組み合わせて使用され、
使用者の口中に配置されたときには、使用者の口内へと液体を供給し得るよう、使用者が、前記貯蔵器から前記ホースを介して前記マウスピースへと、液体を吸い込み得るようになっていることを特徴とするマウスピース。